(57)【特許請求の範囲】
【請求項１】
テレビジョン装置の入力ポートに接続可能な映像音声出力装置であって、
テレビジョン装置用のリモコンからチャンネルの指定を示す第１の信号を受信する赤外線受信部と、
前記赤外線受信部が前記第１の信号を受信すると、前記テレビジョン装置との接続を確認するための識別信号を前記テレビジョン装置に出力する識別信号出力部と、
前記識別信号が前記テレビジョン装置から出力されるか否かを判定する識別信号判定部と、
前記識別信号判定部により前記識別信号が前記テレビジョン装置から出力されていないと判定された場合にのみ、入力ポートの切換えを示す第２の信号を前記テレビジョン装置に送信する赤外線送信部と、
前記識別信号判定部により前記識別信号が前記テレビジョン装置から出力されたと判定されるまで、前記識別信号出力部による前記識別信号の出力、及び前記赤外線送信部による前記第２の信号の送信を繰り返すように制御する制御部と、
前記識別信号判定部により前記識別信号が前記テレビジョン装置から出力されたと判定された場合には、映像及び音声を前記テレビジョン装置に出力する処理実行部と、
を備えることを特徴とする映像音声出力装置。
【請求項２】
前記第１の信号の信号パターンには接続先情報が対応付けられており、
前記処理実行部は、前記識別信号判定部により前記識別信号が前記テレビジョン装置から出力されたと判定された場合には、前記接続先情報よって特定される装置にリクエストを送信し、該リクエストに対する応答を受信すると、映像及び音声を前記テレビジョン装置に出力することを特徴とする、請求項１に記載の映像音声出力装置。
【請求項３】
前記第２の信号の信号パターンにはフラグが対応付けられており、
前記制御部は、前記識別信号判定部により前記識別信号が前記テレビジョン装置から出力されたと判定された場合には、前記赤外線送信部により直前に送信された第２の信号の信号パターンに対応付けられたフラグをオンに設定し、
前記赤外線送信部は、前記フラグがオンである第２の信号の信号パターンが存在する場合には、該第２の信号を優先的に前記テレビジョン装置に送信することを特徴とする、請求項１又は２に記載の映像音声出力装置。
【請求項４】
テレビジョン装置の入力ポートに接続可能な映像音声出力装置により映像音声を出力する方法あって、
（ａ）テレビジョン装置用のリモコンからチャンネルの指定を示す第１の信号を受信するステップと、
（ｂ）前記ステップ（ａ）の後に、前記テレビジョン装置との接続を確認するための識別信号を前記テレビジョン装置に出力するステップと、
（ｃ）前記識別信号が前記テレビジョン装置から出力されるか否かを判定するステップと、
（ｄ）前記ステップ（ｃ）により前記識別信号が前記テレビジョン装置から出力されていないと判定された場合にのみ、入力ポートの切換えを示す第２の信号を前記テレビジョン装置に送信するステップと、
（ｅ）前記ステップ（ｃ）により前記識別信号が前記テレビジョン装置から出力されたと判定されるまで、前記ステップ（ｂ）、及び前記ステップ（ｄ）を繰り返すように制御するステップと、
（ｆ）前記ステップ（ｃ）により前記識別信号が前記テレビジョン装置から出力されたと判定された場合には、映像及び音声を前記テレビジョン装置に出力するステップと、
を含むことを特徴とする映像音声出力方法。
【請求項５】
前記第１の信号の信号パターンには接続先情報が対応付けられており、
前記ステップ（ｆ）は、前記ステップ（ｃ）により前記識別信号が前記テレビジョン装置から出力されたと判定された場合には、前記接続先情報によって特定される装置にリクエストを送信し、該リクエストに対する応答を受信すると、映像及び音声を前記テレビジョン装置に出力することを特徴とする、請求項４に記載の映像音声出力方法。
【請求項６】
前記第２の信号の信号パターンにはフラグが対応付けられており、
（ｇ）前記ステップ（ｃ）により前記識別信号が前記テレビジョン装置から出力されたと判定された場合には、前記赤外線送信部により直前に送信された第２の信号の信号パターンに対応付けられたフラグをオンに設定するステップを更に含み、
前記ステップ（ｄ）は、前記フラグがオンである第２の信号の信号パターンが存在する場合には、該第２の信号を優先的に前記テレビジョン装置に送信することを特徴とする、請求項４又は５に記載の映像音声出力方法。
【発明の詳細な説明】
【技術分野】
【０００１】
本発明は、テレビジョン装置に接続可能な映像音声出力装置、及びその映像音声出力方法に関するものである。
【背景技術】
【０００２】
従来、テレビジョン装置（ＴＶ）の入力ポートにテレビ会議装置などの映像音声出力装置を接続し、映像音声出力装置から入力される映像及び音声をテレビジョン装置から出力させる場合には、映像音声出力装置をテレビジョン装置のどの入力ポートに接続したのかを、手動で指定する必要があった。
【０００３】
また、テレビジョン装置等の機器を接続するＨＤＭＩ（Ｈｉｇｈ Ｄｉｆｉｎｉｔｉｏｎ Ｍｕｌｔｉｍｅｄｉａ Ｉｎｔｅｒｆａｃｅ）の規格（ＨＤＭＩ−ＣＥＣ）に、テレビジョン装置の入力ポートを切り替える制御信号を出力できるものがあった（例えば、非特許文献１参照）。
【０００４】
また、電子機器ごとに対応するリモートコントローラー（リモコン）が異なっており、複数の電子機器を扱うには複数のリモコンを操作する必要があり煩わしかった。例えば、テレビ会議装置を用いてテレビ会議を開始するためには、まず、テレビジョン装置用のリモコンを用いて、テレビジョン装置に対してテレビ会議装置が接続されたテレビジョン装置の入力ポートを指定する信号を送信し、次にテレビ会議装置用のリモコンを用いて、テレビ会議装置に対してテレビ会議接続相手を呼び出す信号を送信する必要があった。そのため、特に年輩の操作者などは、テレビジョン装置の入力ポートを指定したり、テレビジョン装置のどの入力ポートに接続したのかを覚えたりすることが困難であった。そこで、複数のリモコンの信号を学習させて、リモコンを一つに集約するようにした学習リモコンが知られている。
【先行技術文献】
【非特許文献】
【０００５】
【非特許文献１】“Designing CEC into your next HDMI Product”、［online］、［２０１１年５月２６日検索］、インターネット〈URL:http://www.hdmi.org/pdf/whitepaper/DesigningCECintoYourNextHDMIProduct.pdf〉
【発明の概要】
【発明が解決しようとする課題】
【０００６】
しかしながら、ＨＤＭＩ−ＣＥＣ規格の制御信号を受け取るテレビジョン装置の製造メーカによって動作が異なる場合や、テレビジョン装置にＨＤＭＩ端子がなく、映像音声出力装置をＨＤＭＩ接続ではなくコンポジット接続でテレビジョン装置に接続している場合には、ＨＤＭＩの制御信号を利用することができないといった問題があった。
【０００７】
また、学習リモコンは、リモコンの信号を記憶させる操作が必要となり、機器の操作に不慣れな人にとっては利用するのが困難であった。
【０００８】
本発明の目的は、上記問題を解決するため、映像音声出力装置が接続されたテレビジョン装置の入力ポートの設定を自動的に行い、接続操作を容易にすることが可能な映像音声出力装置及び映像音声出力方法を提供することにある。
【課題を解決するための手段】
【０００９】
そこで、上記課題を解決するため、本発明に係る映像音声出力装置は、テレビジョン装置の入力ポートに接続可能な映像音声出力装置であって、テレビジョン装置用のリモコンからチャンネルの指定を示す第１の信号を受信する赤外線受信部と、前記赤外線受信部が前記第１の信号を受信すると、前記テレビジョン装置との接続を確認するための識別信号を前記テレビジョン装置に出力する識別信号出力部と、前記識別信号が前記テレビジョン装置から出力されるか否かを判定する識別信号判定部と、前記識別信号判定部により前記識別信号が前記テレビジョン装置から出力されていないと判定された場合にのみ、入力ポートの切換えを示す第２の信号を前記テレビジョン装置に送信する赤外線送信部と、前記識別信号判定部により前記識別信号が前記テレビジョン装置から出力されたと判定されるまで、前記識別信号出力部による前記識別信号の出力、及び前記赤外線送信部による前記第２の信号の送信を繰り返すように制御する制御部と、前記識別信号判定部により前記識別信号が前記テレビジョン装置から出力されたと判定された場合には、映像及び音声を前記テレビジョン装置に出力する処理実行部と、を備えることを特徴とする。
【００１０】
また、上記課題を解決するため、本発明に係る映像音声出力方法は、テレビジョン装置の入力ポートに接続可能な映像音声出力装置により映像音声を出力する方法あって、（ａ）テレビジョン装置用のリモコンからチャンネルの指定を示す第１の信号を受信するステップと、（ｂ）前記ステップ（ａ）の後に、前記テレビジョン装置との接続を確認するための識別信号を前記テレビジョン装置に出力するステップと、（ｃ）前記識別信号が前記テレビジョン装置から出力されるか否かを判定するステップと、（ｄ）前記ステップ（ｃ）により前記識別信号が前記テレビジョン装置から出力されていないと判定された場合にのみ、入力ポートの切換えを示す第２の信号を前記テレビジョン装置に送信するステップと、（ｅ）前記ステップ（ｃ）により前記識別信号が前記テレビジョン装置から出力されたと判定されるまで、前記ステップ（ｂ）、及び前記ステップ（ｄ）を繰り返すように制御するステップと、（ｆ）前記ステップ（ｃ）により前記識別信号が前記テレビジョン装置から出力されたと判定された場合には、映像及び音声を前記テレビジョン装置に出力するステップと、を含むことを特徴とする。
【発明の効果】
【００１１】
本発明により、既存のテレビジョン装置用リモコンのチャンネルボタンを一回押下するだけで、映像音声出力装置が接続されたテレビジョン装置の入力ポートの設定を自動的に行うことができ、接続操作が容易になる。また、機器ごとに異なる複数のリモコンを扱う必要がなくなり、煩雑さから解放される。
【図面の簡単な説明】
【００１２】
【図１】本発明による第１の実施形態の映像音声出力システムの構成を示すブロック図である。
【図２】本発明による第１の実施形態の映像音声出力装置が記憶するチャンネル信号パターンテーブルの一例を示す図である。
【図３】本発明による第１の実施形態の映像音声出力装置が記憶する入力ポート信号パターンテーブルの一例を示す図である。
【図４】本発明による第１の実施形態の映像音声出力システムの動作を示すフローチャートである。
【図５】本発明による第２の実施形態の映像音声出力装置が記憶するチャンネル信号パターンテーブルの一例を示す図である。
【図６】本発明による第２の実施形態の映像音声出力システムの動作を示すフローチャートである。
【発明を実施するための形態】
【００１３】
以下、図面を参照して、本発明による画像追跡装置及び画像追跡方法の実施の形態について、図面を参照して詳細に説明する。
【００１４】
（第１の実施形態）
図１は、本発明による第１の実施形態の映像音声出力システムの構成を示すブロック図である。図１に示すように、映像音声出力システムは、映像音声出力装置１０と、テレビジョン装置２０と、ＴＶ用リモコン３０とを備える。映像音声出力装置１０は、赤外線受信部１１と、テーブル記憶部１２と、赤外線送信部１３と、識別信号出力部１４と、識別信号判定部１５と、処理実行部１６と、制御部１７とを備える。
【００１５】
テレビジョン装置２０は従来のものと同様の構成であり、赤外線受信部２１と、１つ以上の入力ポート２２と、映像出力部２３と、音声出力部２４と、制御部２５とを備える。赤外線受信部２１は、赤外線送信部１３から送信される赤外線信号を受信する。入力ポート２２は、ケーブル４０を介して接続される映像音声出力装置１０からの映像信号及び／又は音声信号を入力する。映像出力部２３は、液晶ディスプレイやプラズマディスプレイなどで構成され、映像を出力して表示する、音声出力部２４は、スピーカで構成され、音声を出力する。制御部２５は、赤外線受信部２１、入力ポート２２、映像出力部２３、及び音声出力部２４の動作を制御する。
【００１６】
ＴＶ用リモコン（テレビジョン装置用のリモコン）３０は、従来のものと同様の構成であり、赤外線送信部３１を備える。赤外線送信部３１は、ＴＶ用リモコン３０のボタンの押下に応じて赤外線信号を送信する。なお、本発明による映像音声出力システムにおいては、ＴＶ用リモコン３０から送信される赤外線信号を、テレビジョン装置２０だけでなく、映像音声出力装置１０も受信可能なように構成される。つまり、ＴＶ用リモコン３０は、従来のテレビジョン装置用のリモコンであるが、後述するように映像音声出力装置１０の接続操作にも用いられる。
【００１７】
次に、本発明に係る映像音声出力装置１０について説明する。映像音声出力装置１０は、テレビジョン装置２０の入力ポート２２とケーブル４０を介して接続される。なお、図１では入力ポート２２を３つ（２２−１，２２−２，２２−３）記しているが、入力ポート２２の数はこれに限定されるものではない。
【００１８】
赤外線受信部１１は、ＴＶ用リモコン３０から送信されるチャンネルの指定を示す赤外線信号を受信する。
【００１９】
テーブル記憶部１２は、チャンネル信号パターンテーブルと、入力ポート信号パターンテーブルとを記憶する。図２は、チャンネル信号パターンテーブルの一例を示す図である。図２に示すように、チャンネル信号パターンテーブルは、ＴＶ用リモコン３０のチャンネルボタンを押下した際に、赤外線送信部３１から送信される信号パターンを、各ＴＶメーカの各チャンネルと対応付けたテーブルである。
【００２０】
図３は、入力ポート信号パターンテーブルの一例を示す図である。図３に示すように、入力ポート信号パターンテーブルは、ＴＶ用リモコン３０の入力ポート指定ボタンを押下した際に赤外線送信部３１から送信される信号パターンを、各ＴＶメーカの各入力ポートごとに対応付けたテーブルである。ＴＶ用リモコン３０によっては、入力ポートごとに対応するボタンが設けられておらず、ボタンを押下するごとに入力ポートを順次切り換える入力切替ボタンが１つだけ設けられている場合がある。図３の通番７−１０に示す「入力順次切換」とは、信号パターン「００１０１１１」がこのような入力切替ボタンに対応する信号パターンであることを意味する。つまり、テレビジョン装置２０が信号パターン「００１０００１」の信号を受信した場合は、テレビの入力を常に入力ポート１に設定するが、信号パターン「００１０１１１」の信号を受信した場合は、この信号を受信するごとにテレビの入力を入力ポート１→入力ポート２→入力ポート３→ＴＶ→入力ポート１、というように、順次切り替える。識別フラグについては後述する。
【００２１】
赤外線送信部１３は、入力ポートの切換えを示す赤外線信号をテレビジョン装置２０に送信する。つまり、赤外線送信部１３は、入力ポート信号パターンテーブルから入力ポート信号パターンを取得し、取得したパターンの信号を赤外線で送信する。
【００２２】
識別信号出力部１４は、赤外線受信部１１がＴＶ用リモコン３０から送信されるチャンネルの指定を示す赤外線信号を受信すると、識別信号をテレビジョン装置２０へ出力する。ここで、識別信号とは、映像音声出力装置１０とテレビジョン装置２０との接続（テレビジョン装置２０の入力ポートの設定）を確認するために用いられる信号のことをいい、例えば、音声信号、画像信号などである。
【００２３】
識別信号判定部１５は、識別信号出力部１４からテレビジョン装置２０に出力した識別信号が、テレビジョン装置２０から出力されるか否かを判定する。具体的には、識別信号が音声信号である場合には、テレビジョン装置２０の音声出力部２４から出力される信号を、映像音声出力装置１０が備えるマイク（図示せず）により取得し、取得した信号と識別信号出力部１４から出力した音声信号とが一致又は類似している場合には、テレビジョン装置２０の入力ポートとの設定が正しいと判定する。また、識別信号が画像信号である場合には、テレビジョン装置２０の映像出力部２３から出力される信号を、映像音声出力装置１０が備えるカメラ（図示せず）により取得し、取得した信号と識別信号出力部１４から出力した画像信号とが一致又は類似している場合には、テレビジョン装置２０の入力ポートとの設定が正しいと判定する。なお、映像音声出力装置１０がテレビ会議装置のようにマイクを備えている装置である場合には、識別信号を音声信号としてマイクで集音するのが、簡易な処理で識別信号を判定できるので好適である。
【００２４】
処理実行部１６は、映像及び音声をテレビジョン装置２０に出力する。例えば、映像音声出力装置１０がテレビ会議装置である場合には、テレビ会議装置に備えられたカメラで取得した映像、及びテレビ会議装置に備えられたマイクで集音した音声をテレビジョン装置２０に出力し、テレビジョン装置２０は、テレビ会議装置から入力される映像を映像出力部２３により出力し、テレビ会議装置から入力される音声を音声出力部２４により出力する。
【００２５】
制御部１７は、赤外線受信部１１、テーブル記憶部１２、赤外線送信部１３、識別信号出力部１４、識別信号判定部１５、及び処理実行部１６の動作を制御する。また、制御部１７は、識別信号判定部１５により識別信号がテレビジョン装置２０から出力されたと判定されるまで、赤外線送信部１３による入力ポートの切換えを示す赤外線信号の送信、及び識別信号出力部１４による識別信号の出力を繰り返すように制御する。
【００２６】
また、制御部１７は、識別信号判定部１５により、映像音声出力装置１０から出力した識別信号がテレビジョン装置２０から出力されたと判定された場合には、テーブル記憶部１２にアクセスして、赤外線送信部１３により直前に送信された入力ポート信号パターン（すなわち、識別音を判別できたときの入力ポート信号パターン）に対応する識別フラグをオン（１）に設定する。赤外線送信部１３は、識別フラグがオンに設定された入力ポート信号パターンが存在する場合には、その信号パターン（図３に示す例の場合は「００１０００２」）を優先的に送信する。
【００２７】
次に、このように構成される映像音声出力システムの動作について説明する。図４は、映像音声出力システムの動作を示すフローチャートである。なお、映像音声出力装置１０は、テレビジョン装置２０とケーブル４０を介して接続されているものとする。
【００２８】
映像音声出力システムの利用者が、ＴＶ用リモコン３０のチャンネルを押下すると（ステップＳ１０１）、映像音声出力装置１０は、赤外線受信部１１により、ＴＶ用リモコン３０の押下されたチャンネルに対応するチャンネル信号パターンを受信する（ステップＳ１０２）。例えば、図２に示したチャンネル信号パターンテーブルによると、３チャンネルが押下された場合の信号パターンは００１１００３である。なお、同時にテレビジョン装置２０がＴＶ用リモコン３０からの赤外線信号を受信すると、ＴＶ用リモコン３０の押下されたチャンネルにテレビジョン装置２０のチャンネルが変更されるが、映像音声出力装置１０の利用操作に影響を及ぼすものではない。
【００２９】
映像音声出力装置１０は、ＴＶ用リモコン３０から赤外線信号を受信すると、識別信号出力部１４により、独自の識別信号をテレビジョン装置２０に出力する（ステップＳ１０３）。
【００３０】
テレビジョン装置２０は、入力ポートの設定が、映像音声出力装置１０の接続された入力ポートから入力される信号を受け付ける設定になっていた場合には、識別信号出力部１４から入力された識別信号を出力する（ステップＳ１０４）。識別信号が音声信号である場合には音声出力部２４から出力し、識別信号が画像信号である場合には映像出力部２３から出力する。一方、入力ポートの設定が、映像音声出力装置１０の接続された入力ポート以外の入力ポートから入力される信号を受け付ける設定、あるいはテレビ放送を受け付ける設定になっていた場合には、識別信号出力部１４から入力された識別信号を出力しない（ステップＳ１０４）。なお、この動作は、既存の一般的なテレビジョン装置２０における動作と同じである。
【００３１】
映像音声出力装置１０は、識別信号判定部１５により、テレビジョン装置２０の音声出力部２４から出力される音声信号、又は映像出力部２３から出力される画像信号を取得する（ステップＳ１０５）。そして、映像音声出力装置１０は、識別信号判定部１５により、取得した信号が、識別信号出力部１４から出力した識別信号であるか否か、すなわち、識別信号出力部１４から出力した識別信号がテレビジョン装置２０から出力されたか否かを判定する（ステップＳ１０６）。
【００３２】
ステップＳ１０６にて、映像音声出力装置１０から出力した識別信号がテレビジョン装置２０から出力されないと判定した場合は、映像音声出力装置１０は、赤外線送信部１３により、テーブル記憶部１２に記憶された入力ポート信号パターンテーブルから通番の順に従って読取られた入力ポート信号パターンを、テレビジョン装置２０に赤外線で送信する（ステップＳ１０７）。テレビジョン装置２０は、赤外線受信部２１により、赤外線送信部１３から送信される入力ポート信号パターンに従って、映像音声出力装置１０の入力ポートを設定する（ステップＳ１０８）。そして、映像音声出力装置１０は、再度、識別信号出力部１４により識別信号をテレビジョン装置２０へ送信し、識別信号判定部１５により識別信号の判定を行う。
【００３３】
一方、ステップＳ１０６にて、映像音声出力装置１０から出力した識別信号がテレビジョン装置２０から出力されたと判定された場合は、映像音声出力装置１０は、制御部１７により、テーブル記憶部１２にアクセスして、直前の入力ポート信号パターンに対応する識別フラグをオン（１）に設定する（ステップＳ１０９）。また、ステップＳ１０７にて、識別フラグがオンに設定された入力ポート信号パターンが存在する場合には、赤外線送信部１３により、その信号パターン（図３に示す例の場合は「００１０００２」）を優先的に送信する。以上の動作により、接続操作は完了し（ステップＳ１１０）、映像音声出力装置１０は、映像・音声をテレビジョン装置２０に出力することが可能となる。
【００３４】
このように、本実施形態の映像音声出力装置１０によれば、識別信号判定部１５により識別信号がテレビジョン装置２０から出力されたと判定されるまで、識別信号出力部１４による識別信号の出力、及び赤外線送信部１３による入力ポートの切換えを示す信号の送信を繰り返すように制御することにより、既存のＴＶ用リモコン３０のチャンネルボタンを一回押下するだけで、映像音声出力装置１０が接続されたテレビジョン装置２０の入力ポートの設定を自動的に行うことができ、接続操作が容易になる。
【００３５】
（第２の実施形態）
次に、本発明による第２の実施形態の映像音声出力システムについて説明する。第２の実施形態の映像音声出力システムは、図１に示した第１の実施形態のシステムの構成と同様であるため、説明を省略する。ただし、第２の実施形態の映像音声出力装置１０は、第１の実施形態と比較して、テーブル記憶部１２が記憶するチャンネル信号パターンテーブルが相違する。以下の説明では、映像音声出力装置１０がテレビ会議装置である場合を例に説明する。
【００３６】
図５は、本実施形態のテーブル記憶部１２が記憶するチャンネル信号パターンテーブルの一例を示す図である。図５に示すように、チャンネル信号パターンテーブルは、チャンネル信号パターン、ＴＶメーカ、チャンネルに加え、接続先情報（接続先識別子、及び接続先識別子タイプ）を対応付ける。接続先識別子及び接続先識別子タイプは、テレビ会議装置の接続先を特定するために用いられる。なお、接続先識別子及び接続先識別子タイプは利用者が設定してもよいし、映像音声出力装置１０の製造メーカ又は通信業者に予め登録を依頼してもよい。また、チャンネル信号パターンテーブルは、更にテレビ会議装置の接続先に関する情報を対応付けるようにしてもよい。テレビ会議装置の接続先に関する情報とは、例えば、テレビ会議サービスを利用するかインターネットビデオ会議（Ｗｅｂ会議）サービスを利用するかを示す情報である。
【００３７】
本実施形態の処理実行部１６は、さらに、チャンネル信号パターンテーブルから、赤外線受信部１１が受信した赤外線信号のチャンネル信号パターンに対応付けられた接続先識別子、及び接続先識別子タイプを取得し、接続先識別子、及び接続先識別子タイプによって特定される接続先の装置にリクエストを送信する機能を有する。そして、処理実行部１６は、接続先の装置からリクエストに対する応答を受信すると、映像及び音声をテレビジョン装置２０に出力してテレビ会議を開始する。
【００３８】
次に、本実施形態の映像音声出力システムの動作について説明する。図６は、第２の実施形態の映像音声出力システムの動作を示すフローチャートである。ステップＳ１０１からステップＳ１１０の動作は第１の実施形態と同一であるため、説明を省略する。
【００３９】
ステップＳ１１０にて接続操作が終了すると、本実施形態の映像音声出力装置１０は、処理実行部１６により、チャンネル信号パターンテーブルを参照し、ステップＳ１０２にて受信したチャンネル信号パターンに対応する接続先識別子及び接続先識別子タイプを取得し、接続先識別子及び接続先識別子タイプに基づいてテレビ会議を開始するリクエストを接続先に送信する（ステップＳ１１１）。
【００４０】
例えば、図５の通番１に示すように、接続先タイプが電話番号であり接続先識別子が０４２２−５９−ｘｘｘｘのとき、０４２２−５９−ｘｘｘｘに対してテレビ会議のリクエストを送信する。これは、例えば、ＮＴＴのＴＶ電話サービスのリクエストによって実現することができる。テレビ会議のリクエスト発信先がリクエストに応答すれば、テレビ会議を開始する（ステップＳ１１２）。
【００４１】
なお、本実施形態では、映像音声出力装置１０がテレビ会議装置である場合を例に説明したが、これに限られるものではなく、処理実行部１６は、チャンネル信号パターンに対応付けられた情報に基づいて動作する。
【００４２】
このように、本実施形態の映像音声出力装置１０によれば、処理実行部１６がチャンネル信号パターンに対応付けられた情報に基づいて動作することにより、既存のＴＶ用リモコン３０のボタンを一回押下するだけで、例えば接続先との接続を確立した後にテレビ会議を行うことが可能となる。
【００４３】
上述の実施形態は、代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、上述の実施形態では映像音声出力装置１０がテーブル記憶部１２を備える構成としているが、ネットワークに接続された装置にテーブル記憶部１２を設け、映像音声出力装置１０は、このネットワーク上の装置にアクセスしてテーブル記憶部１２に記憶されたデータを取得するようにしてもよい。
【符号の説明】
【００４４】
１０  映像音声出力装置
１１  赤外線受信部
１２  テーブル記憶部
１３  赤外線送信部
１４  識別信号出力部
１５  識別信号判定部
１６  処理実行部
１７  制御部
２０  テレビジョン装置
２１  赤外線受信部
２２  入力ポート
２３  映像出力部
２４  音声出力部
２５  制御部
３０  ＴＶ用リモコン
３１  赤外線送信部
４０  ケーブル
【図１】
0005611123.tif 000002
【図２】
0005611123.tif 000003
【図３】
0005611123.tif 000004
【図４】
0005611123.tif 000005
【図５】
0005611123.tif 000006
【図６】
0005611123.tif 000007